(57)【要約】【課題】大きな衝撃が加わった場合にカットアウトヒューズがブッシングから離脱するのを防止したカットアウトヒューズ内蔵形変圧器を提供する。【解決手段】カットアウトヒューズ４の先端側に設けたエンドブロック４０７にカットアウトヒューズ４の軸線に対して直角な方向に延びるロックピン挿入溝を設けておく。ブッシングの先端側に取り付けたエンドキャップ３０６にロックピン７を支持しておき、ロックピン７をエンドブロック４０７のロックピン挿入溝内に挿入することにより、カットアウトヒューズ４を投入状態に保持する。【選択図】    図１
2004192998.tif 000002
【特許請求の範囲】
【請求項１】
変圧器タンクと、前記変圧器タンク内に収容された変圧器本体と、外部からの引き込み線に接続される第１の接触子及び前記変圧器本体の一次側に接続される第２の接触子を先端側及び後端側の内側にそれぞれ有して先端を斜め下方に向けた状態で前記変圧器タンクの側壁に取り付けられたブッシングと、後端部を前記変圧器タンク側に向けた状態で前記ブッシングの先端側から該ブッシング内に挿入されて先端側及び後端側にそれぞれ設けられた第１及び第２の電極が前記ブッシング内の第１及び第２の接触子にそれぞれ接触させられるカットアウトヒューズとを備えたカットアウトヒューズ内蔵形変圧器において、
前記カットアウトヒューズの先端側に該カットアウトヒューズの軸線に対して角度をなす方向に延びるロックピン挿入溝が形成され、
投入状態にある前記カットアウトヒューズの前記ロックピン挿入溝内に少なくとも一部が挿入されて前記カットアウトヒューズが前記ブッシングから抜け出るのを阻止した状態になるロック位置と前記ロックピン挿入溝から離脱して前記カットアウトヒューズがブッシングから抜け出るのを許容した状態になるロック解除位置との間を変位可能なロックピンが、前記ブッシングの先端側に、外部から操作可能な状態で取り付けられていること、
を特徴とするカットアウトヒューズ内蔵形変圧器。
【請求項２】
変圧器タンクと、前記変圧器タンク内に収容された変圧器本体と、外部からの引き込み線に接続される第１の接触子及び前記変圧器本体の一次側に接続される第２の接触子を先端側及び後端側の内側にそれぞれ有して先端を斜め下方に向けた状態で前記変圧器タンクの側壁に取り付けられたブッシングと、後端部を前記変圧器タンク側に向けた状態で前記ブッシングの先端側から該ブッシング内に挿入されて先端側及び後端側にそれぞれ設けられた第１及び第２の電極が前記ブッシング内の第１及び第２の接触子にそれぞれ接触させられるカットアウトヒューズとを備えたカットアウトヒューズ内蔵形変圧器において、
前記カットアウトヒューズは、絶縁材料からなるエンドブロックを先端側に備え、
前記ブッシングは、前記カットアウトヒューズを貫通させるための開口部を有するエンドキャップを先端側に備え、
前記ブッシングの軸線に対して角度をなす方向に延びていて少なくとも一端が開口したロックピン挿入溝が前記カットアウトヒューズのエンドブロックに形成され、
投入状態にある前記カットアウトヒューズの前記エンドブロックのロックピン挿入溝の開口部から該ロックピン挿入溝内に少なくとも一部が挿入されて前記カットアウトヒューズが前記ブッシングから抜け出るのを阻止した状態になるロック位置と、前記ロックピン挿入溝から離脱して前記カットアウトヒューズがブッシングから抜け出るのを許容した状態になるロック解除位置との間を変位可能なロックピンが、前記ブッシングのエンドキャップに外部から操作可能な状態で取り付けられていること、
を特徴とするカットアウトヒューズ内蔵形変圧器。
【請求項３】
変圧器タンクと、前記変圧器タンク内に収容された変圧器本体と、外部からの引き込み線に接続される第１の接触子及び前記変圧器本体の一次側に接続される第２の接触子を先端側及び後端側の内側にそれぞれ有して先端を斜め下方に向けた状態で前記変圧器タンクの側壁に取り付けられたブッシングと、後端部を前記変圧器タンク側に向けた状態で前記ブッシングの先端側から該ブッシング内に挿入されて先端側及び後端側にそれぞれ設けられた第１及び第２の電極が前記ブッシング内の第１及び第２の接触子にそれぞれ接触させられるカットアウトヒューズとを備えたカットアウトヒューズ内蔵形変圧器において、
前記カットアウトヒューズは、該カットアウトヒューズの投入及び引き外しを行う際に該カットアウトヒューズの先端側を保持する工具を取り付けるためのエンドブロックを先端側に備え、
前記ブッシングは、前記カットアウトヒューズを貫通させるための開口部を有するエンドキャップを先端側に備え、
前記カットアウトヒューズの軸線に対して角度をなす方向に沿って下方から上方に直線状に延びていて少なくとも下端が開口したロックピン挿入溝と該ロックピン挿入溝の長手方向に対して直角な方向に延びるように設けられて前記ロックピン挿入溝の下端から離れた位置で該ロックピン挿入溝に接続された係止溝とが前記カットアウトヒューズのエンドブロックに形成され、
投入状態にある前記カットアウトヒューズの前記エンドブロックのロックピン挿入溝の長手方向に延びる棒状部と該棒状部の先端から折れ曲がった折り曲げ部とを有していて、前記棒状部の少なくとも一部が前記ロックピン挿入溝の下端の開口部から該ロックピン挿入溝内に挿入されて前記折り曲げ部が前記係止溝に臨む状態になるロック位置と、前記ロックピン挿入溝から離脱して前記カットアウトヒューズがブッシングから抜け出るのを許容した状態になる退避位置との間を変位可能なロックピンが、前記ブッシングのエンドキャップの下部に、外部から操作可能な状態で取り付けられ、
前記ロックピンの棒状部を前記ロック位置に位置させた状態で該ロックピンの棒状部を回転させて前記折り曲げ部を旋回させることにより該折り曲げ部を前記係止溝内に挿入し得るように構成されていること、
を特徴とするカットアウトヒューズ内蔵形変圧器。
【請求項４】
前記カットアウトヒューズのエンドブロックは、前記係止溝内に挿入されたロックピンの折り曲げ部を落し込むことができる大きさを有して上端が前記係止溝内に開口した落し溝を更に備え、
前記係止溝内に挿入された前記ロックピンの折り曲げ部が前記落し溝内に落し込まれた状態にあるときに前記ロックピンの折り曲げ部の旋回が阻止されるように構成されている請求項３に記載のカットアウトヒューズ内蔵形変圧器。
【請求項５】
変圧器タンクと、前記変圧器タンク内に収容された変圧器本体と、外部からの引き込み線に接続される第１の接触子及び前記変圧器本体の一次側に接続される第２の接触子を先端側及び後端側の内側にそれぞれ有して先端を斜め下方に向けた状態で前記変圧器タンクの側壁に取り付けられたブッシングと、後端部を前記変圧器タンク側に向けた状態で前記ブッシングの先端側から該ブッシング内に挿入されて先端側及び後端側にそれぞれ設けられた第１及び第２の電極が前記ブッシング内の第１及び第２の接触子にそれぞれ接触させられるカットアウトヒューズとを備えたカットアウトヒューズ内蔵形変圧器において、
前記カットアウトヒューズは、絶縁材料からなるエンドブロックを先端側に備え、
前記ブッシングは、前記カットアウトヒューズを貫通させるための開口部を有するエンドキャップを先端側に備え、
前記カットアウトヒューズの軸線に対して角度をなす方向に沿って下方から上方に直線的に延びるロックピン挿入溝が前記カットアウトヒューズのエンドブロックを貫通した状態で設けられるとともに、前記エンドブロックの上面に前記ロックピン挿入溝の長手方向に対して直角な方向に延びる係止溝が、前記ロックピン挿入溝の上端に接続された状態で設けられ、
投入状態にある前記カットアウトヒューズの前記エンドブロックのロックピン挿入溝の長手方向に延びる棒状部と該棒状部の先端から折れ曲がった折り曲げ部とを有していて、前記棒状部の少なくとも一部が前記ロックピン挿入溝の下端の開口部から該ロックピン挿入溝内に挿入されて前記折り曲げ部が前記係止溝に臨む状態になるロック位置と、前記ロックピン挿入溝から離脱して前記カットアウトヒューズがブッシングから抜け出るのを許容した状態になる退避位置との間を変位可能なロックピンが、前記ブッシングのエンドキャップの下部に、外部から操作可能な状態で取り付けられ、
前記ロックピンの棒状部を前記ロック位置に位置させた状態で該ロックピンの棒状部を回転させて前記折り曲げ部を旋回させることにより該折り曲げ部を前記係止溝内に挿入し得るように構成されていること、
を特徴とするカットアウトヒューズ内蔵形変圧器。
【発明の詳細な説明】
【０００１】
【発明の属する技術分野】
本発明は、カットアウトヒューズを内蔵した変圧器に関するものである。
【０００２】
【従来の技術】
配電系統において、装柱される機器の構成を簡素にして周囲環境との調和を図るため、例えば、特許文献１に示されているように、変圧器タンクの側壁にブッシングを取り付けて、該ブッシング内にカットアウトヒューズを抜き差し自在に収容したカットアウトヒューズ内蔵形の柱上変圧器が開発されている。
【０００３】
従来のこの種の変圧器においては、ブッシングが、その先端側及び後端側の内側に雌形の第１及び第２の接触子を有していて、その先端を斜め下方に向けた状態で変圧器タンクに接続されている。
【０００４】
カットアウトヒューズは、筒状のヒューズ容器と、該ヒューズ容器内に収容された可溶体とからなっていて、ヒューズ容器の先端側及び後端側にそれぞれ、第１及び第２の電極を備えている。このカットアウトヒューズは、その後端を変圧器タンク側に向けた状態で、ブッシングの先端側に設けられた開口部から該ブッシング内に抜き差し自在に挿入されて、その第１の電極及び第２の電極がそれぞれブッシング内に設けられた第１及び第２の接触子に接触させられて投入状態にされる。この状態でカットアウトヒューズがブッシングから容易に離脱するのを防止するため、ブッシングの後端側の内側に、カットアウトヒューズの後端部を把持する把持バネが設けられている。
【０００５】
またカットアウトヒューズをブッシングから引き外すことにより、ブッシング内の第１の接触子と第２の接触子との間が開放状態にされる。
【０００６】
【特許文献１】
実公平３−５０７６号公報（第２欄第１４行〜第３欄第５行、第６図）
【０００７】
【発明が解決しようとする課題】
特許文献１に示されたように、ブッシングを斜め下方に向けた状態で取りつけたカットアウトヒューズ内蔵形の柱上変圧器においては、カットアウトヒューズに、その自重により、常時斜め下方に向かう力（ブッシングから抜け出そうとする力）が作用しているため、変圧器に大きな外力が作用すると、カットアウトヒューズがブッシングから脱落するおそれがあった。
【０００８】
そのため、上記の柱上変圧器を用いた場合、万一交通事故や地震などにより電柱に大きな衝撃が加わると、カットアウトヒューズが脱落して、変圧器の二次側につながる配電系統が停電するおそれがあった。
【０００９】
なお、従来のカットアウトヒューズ内蔵形変圧器においては、カットアウトヒューズがブッシングから容易に抜け出すのを防ぐために、ブッシングの後端部側の内側にカットアウトヒューズの後端部を把持する把持バネを設けているが、このような把持バネを設けただけでは、変圧器タンクに外部から与えられる大きな衝撃に対して、カットアウトヒューズの脱落を完全に防止することは難しかった。
【００１０】
本発明の目的は、外力が作用した際に、カットアウトヒューズが脱落するのを防ぐことができるようにしたカットアウトヒューズ内蔵形変圧器を提供することにある。
【００１１】
【課題を解決するための手段】
本発明は、変圧器タンクと、該変圧器タンク内に収容された変圧器本体と、外部から引き込まれる電線に電気的に接続される第１の接触子及び前記変圧器本体の一次側に接続される第２の接触子を先端側及び後端側の内側にそれぞれ有して先端を斜め下方に向けた状態で変圧器タンクの側壁に取り付けられたブッシングと、後端部を変圧器タンク側に向けた状態でブッシングの先端側から該ブッシング内に挿入されて先端側及び後端側にそれぞれ設けられた第１及び第２の電極がブッシング内の第１及び第２の接触子にそれぞれ接触させられるカットアウトヒューズとを備えたカットアウトヒューズ内蔵形変圧器を対象とする。
【００１２】
本発明においては、カットアウトヒューズの先端側に該カットアウトヒューズの軸線に対して角度をなす方向に延びるロックピン挿入溝が形成される。
【００１３】
またブッシング内に保持されたカットアウトヒューズのロックピン挿入溝内に少なくとも一部が挿入されてカットアウトヒューズがブッシングから抜け出るのを阻止した状態になるロック位置とロックピン挿入溝から離脱してカットアウトヒューズがブッシングから抜け出るのを許容した状態になるロック解除位置との間を変位可能なロックピンが、ブッシングの先端側に、外部から操作可能な状態で取り付けられる。
【００１４】
上記のように、カットアウトヒューズの後端側にブッシングの軸線に対して角度をなす方向に延びるロックピン挿入溝を設けるとともに、ブッシングの先端側に、該ロックピン挿入溝内に挿入されるロックピンを取り付けておくと、該ロックピンをロックピン挿入溝内に挿入することにより、カットアウトヒューズをブッシング内に保持された状態にロックすることができるため、変圧器タンクに大きな衝撃が加わった際にカットアウトヒューズがブッシングから抜け出るのを防ぐことができる。
【００１５】
また、上記のように構成すると、カットアウトヒューズが正しく投入されている場合にのみロックピンをロックピン挿入溝内に挿入することができるため、ロックピンをロックピン挿入溝内に挿入する際に、カットアウトヒューズが正しく投入されているかどうかを確認することができ、カットアウトヒューズの端子とブッシング側の接触子との接触が不完全な状態で通電が行われるのを防ぐことができる。
【００１６】
本発明の好ましい態様では、カットアウトヒューズが、その先端側にエンドブロックを備えている。このエンドブロックは、カットアウトヒューズの投入及び引き外しを行う際に該カットアウトヒューズの先端側を保持する工具を取り付けるために設けられるものである。
【００１７】
またブッシングは、その先端側に、カットアウトヒューズを貫通させるための開口部を有するエンドキャップを備えている。
【００１８】
この場合は、カットアウトヒューズのエンドブロックに、ブッシングの軸線に対して角度をなす方向に延びていて少なくとも一端が開口したロックピン挿入溝が形成される。また、投入状態にあるカットアウトヒューズのエンドブロックのロックピン挿入溝の開口部から該ロックピン挿入溝内に少なくとも一部が挿入されてカットアウトヒューズがブッシングから抜け出るのを阻止した状態になるロック位置と、ロックピン挿入溝から離脱してカットアウトヒューズがブッシングから抜け出るのを許容した状態になるロック解除位置との間を変位可能なロックピンが、ブッシングのエンドキャップに外部から操作可能な状態で取り付けられる。
【００１９】
本発明の他の好ましい態様では、カットアウトヒューズの軸線に対して角度をなす方向に沿って下方から上方に直線状に延びていて少なくとも下端が開口したロックピン挿入溝と該ロックピン挿入溝の長手方向に対して直角な方向に延びるように設けられてロックピン挿入溝の下端から離れた位置で該ロックピン挿入溝に接続された係止溝とがカットアウトヒューズのエンドブロックに形成される。
【００２０】
また、投入状態にあるカットアウトヒューズのエンドブロックのロックピン挿入溝の長手方向に延びる棒状部と該棒状部の先端から折れ曲がった折り曲げ部とを有していて、棒状部の少なくとも一部がロックピン挿入溝の下端の開口部から該ロックピン挿入溝内に挿入されて折り曲げ部が係止溝に臨む状態になるロック位置と、ロックピン挿入溝から離脱してカットアウトヒューズのブッシングから抜け出るのを許容した状態になる退避位置との間を変位可能なロックピンが、ブッシングのエンドキャップの下部に、外部から操作可能な状態で取り付けられ、ロックピンの棒状部をロック位置に位置させた状態で該ロックピンの棒状部を回転させて折り曲げ部を旋回させることにより該折り曲げ部を係止溝内に挿入し得るように構成される。
【００２１】
このように構成すると、ロックピンの先端の折り曲げ部を係止溝内に挿入された状態にすることにより、ロックピンがロック位置に確実に保持されるので、振動などによりロックピンがロック位置からロック解除位置側に動いてロックが外れるのを防ぐことができる。
【００２２】
このように構成する場合、係止溝内に挿入されたロックピンの折り曲げ部を落し込むことができる大きさを有して上端が係止溝内に開口した落し溝をカットアウトヒューズのエンドブロックに設けて、係止溝内に挿入されたロックピンの折り曲げ部が落し溝内に落し込まれた状態にあるときにロックピンの折り曲げ部の旋回が阻止されるようにしておくのが好ましい。
【００２３】
このように構成すると、ロックピンの先端の折り曲げ部を係止溝内に挿入した後、落し溝内に落し込んでおくことにより、ロックピンによるロックが外れるのを更に確実に防ぐことができる。
【００２４】
上記ロックピン挿入溝は、カットアウトヒューズのエンドブロックを貫通した状態で設けられていてもよく、該エンドブロックを貫通しない状態で（エンドブロック内で終端するように）設けられていてもよい。
【００２５】
また上記のように係止溝を設ける場合、該係止溝は、ロックピン挿入溝の長手方向の中間部で該ロックピン挿入溝に接続されるように（エンドブロックの内部に）設けてもよく、ロックピン挿入溝の上端に接続されるように（エンドブロック上面に）設けてもよい。
【００２６】
特に、カットアウトヒューズの軸線に対して角度をなす方向に沿って下方から上方に直線的に延びるロックピン挿入溝を、カットアウトヒューズのエンドブロックを貫通した状態で設けるとともに、ロックピン挿入溝の長手方向に対して直角な方向に延びる係止溝を、エンドブロックの上面に、ロックピン挿入溝の上端に接続した状態で設けるようにすると、係止溝をカットアウトヒューズのエンドブロックの内部に設ける場合に比べて、該エンドブロックの加工を容易にすることができる。
【００２７】
またこのように構成すると、係止溝を落し溝として兼用することができ、ロックピン挿入溝内に挿入したロックピンの先端の折り曲げ部をエンドブロックの上面の係止溝内に落とし込むことにより、ロックピンをロック位置に保持することができる。
【００２８】
【発明の実施の形態】
以下図１ないし図１０を参照して本発明の実施の形態を詳細に説明する。
【００２９】
図１及び図２は本発明に係わる変圧器の要部の構成例を示したもので、図１は、ブッシングの全体を断面してその内部の構造を示した断面図、図２はブッシングの半部のみを断面してブッシングの内部の構造と外観とを併せて示した断面図である。また図３はカットアウトヒューズの一例を示す側面図、図４（Ａ）及び（Ｂ）はそれぞれ、本発明の実施形態においてブッシングの先端に取り付けられるエンドキャップの上面図及び正面図である。更に図５は本発明に係わる変圧器において、ロックピンの棒状部をカットアウトヒューズのエンドブロックのロックピン挿入溝内に挿入した状態を示した断面図、図６（Ａ）ないし（Ｃ）はそれぞれ本実施形態においてカットアウトヒューズの先端に取り付けるエンドブロックの上面図、正面図及びＡ−Ａ線断面図である。また図７ないし図１０は、本発明で用いるロックピンの操作手順を示す説明図、図１１（Ａ）ないし（Ｃ）はそれぞれカットアウトヒューズの先端に設けるエンドブロックの変形例を示した上面図、正面図及び要部の断面図である。
【００３０】
図１及び図２において、１は柱上に設置される変圧器タンクで、変圧器タンク１内には、図示しない変圧器本体が絶縁油とともに収容されている。変圧器タンク１は、その側壁の上部に管台２を備え、この管台２にブッシング３が取り付けられている。
【００３１】
管台２は、先端がブッシング支持板２０１により閉じられた管状の部材からなっていて、その先端を斜め下方に向けた状態で配置されて、変圧器タンク１の側壁に溶接されている。
【００３２】
ブッシング３は、円筒状に形成された絶縁筒３０１と、該絶縁筒３０１の外周に接合された笠付きの套管３０２とを有するブッシング本体３０３と、ブッシング本体３０３の先端側の内側及び後端側の内側にそれぞれ取り付けられた雌形の第１の接触子３０４及び第２の接触子３０５とを備え、ブッシング本体３０３の先端側の開口部を閉じるようにエンドキャップ３０６が取り付けられている。第１及び第２の接触子３０４及び３０５は筒状に形成され、ブッシング３の後端部３ｂの内側には、後記するカットアウトヒューズの後端部を把持する把持バネ３０７が、第２の接触子３０５の内側に位置させた状態で取り付けられている。
【００３３】
ブッシング３は、その先端３ａを斜め下方に向けた状態で配置され、その絶縁筒３０１の後端部がブッシング支持板２０１に設けられた取り付け孔を通して管台２内に挿入されている。ブッシングの套管３０２の後端部にフランジ部３０２ａが設けられ、このフランジ部がブッシング支持板２０１に締結されて、ブッシンング３が変圧器タンク１に取り付けられている。
【００３４】
エンドキャップ３０６には、カットアウトヒューズ４を貫通させるための開口部３０８が形成され、この開口部を通してカットアウトヒューズ４のブッシング内への投入及び引き外しが行われる。
【００３５】
またブッシング３の先端３ａ側には、外部から引き込まれる電線５を第１の接触子３０４に接続するための端子３０９が設けられ、ブッシング３の後端３ｂ側には、第１の接触子３０５を変圧器タンク１内の変圧器本体の一次側の口出し線に電気的に接続するための端子部３１０が設けられている。
【００３６】
図３に示したように、カットアウトヒューズ４は、筒状のヒューズ容器４０１と、該ヒューズ容器内に収容された図示しない可溶体とからなっていて、ヒューズ容器４０１の先端側及び後端側の外周部にそれぞれ、容器４０１内の可溶体の一端及び他端に電気的に接続された第１及び第２の電極４０２及び４０３が設けられている。図示の例では、第１及び第２の電極４０２及び４０３により、ブッシングの第１の接触子３０４及び第２の接触子３０５にそれぞれ接触する雄形接触子が構成されている。
【００３７】
また図示の例では、ヒューズ容器４０１の後端部に消孤棒４０４の一端が接続され、消孤棒４０４の他端（ヒューズ４の後端部）には、基部に縊れ部４０５ａが形成された把持部４０５が形成されている。ヒューズ容器４０１の先端には絶縁棒４０６の一端が接続され、この絶縁棒４０６の他端（カットアウトヒューズの先端）にエンドブロック４０７が一体に設けられている。
【００３８】
エンドブロック４０７は、カットアウトヒューズ４の投入及び引き外しを行う際にカットアウトヒューズ４の先端側を把持する図示しないヒューズ着脱用工具を取り付ける部分で、その全体がほぼ直方体状を呈するように形成されている。図６（Ａ）ないし（Ｃ）に示したように、ヒューズ容器４０１の軸線と直交するエンドブロック４０７の外端面には、ヒューズの状態を表示する表示手段を外部から視認させるための表示窓４０８が開口させられている。
【００３９】
本実施形態では、カットアウトヒューズ４をブッシング３内に投入する際に、エンドブロック４０７が、その長手方向を水平方向に向けた状態で配置される。本実施形態では、エンドブロック４０７の長手方向の両端の端面をエンドブロック４０７の側面４０７ａ，４０７ａとし、エンドブロック４０７の短辺方向に相対する端面のうち、上側の端面及び下側の端面をそれぞエンドブロックの上面４０７ｂ及び下面４０７ｃとする。
【００４０】
エンドブロック４０７の長手方向の両端には、該エンドブロックの側面４０７ａ，４０７ａにそれぞれ開口させた状態で、側面４０７ａ，４０７ａに沿ってヒューズ容器４０１の軸線に対して直角をなす方向に直線的に延びる１対のロックピン挿入溝４１０，４１０が，ヒューズ容器の軸線を含む垂直面（側面４０７ａ，４０７ａと平行な面）に対して対称に設けられている。
【００４１】
ロックピン挿入溝４１０，４１０は、それぞれの長手方向の両端（上端及び下端）をエンドブロック４０７の上面４０７ｂ及び下面４０７ｃに開口させた状態で設けられていて、各ロックピン挿入溝４１０の長手方向の両端の開口部には、外側に向かって末広がり状に径が大きくなる向きのテーパが付けられたテーパ部４１０ａ，４１０ａが形成されている。
【００４２】
エンドブロック４０７にはまた、ヒューズ容器の軸線を含む垂直面に平行な方向に沿ってロックピン挿入溝４１０，４１０の長手方向と直角な方向に延びる対の係止溝４１１，４１１が、ロックピン挿入溝４１０，４１０にそれぞれ対応させて設けられている。
【００４３】
対の係止溝４１１，４１１は、対応するロックピン挿入溝４１０，４１０がそれぞれ開口したエンドブロックの側面４０７ａ，４０７ａに開口させた状態で設けられて、対応するロックピン挿入溝４１０，４１０の長手方向の一端（図示の例では下端）から離れた位置で対応するロックピン挿入溝４１０，４１０に接続されている。図示の例では、各係止溝４１１が対応するロックピン挿入溝４１０の中間部に接続されている。
【００４４】
エンドブロック４０７にはまた、係止溝４１１内に開口した落し溝４１２が形成されている。一対の係止溝４１１，４１１内にそれぞれ設けられた落し溝４１２，４１２は、エンドブロックの先端を正面から見て右側に位置するときに上方に開口し、左側に位置するときに下方に開口するように設けられている。
【００４５】
カットアウトヒューズ４は、その後端部４ｂを変圧器タンク１側に向けた状態で、ブッシング３のエンドキャップ３０６の開口部３０８を通してブッシング３内に挿入されて、その後端側に設けられた消孤棒４０４が第２の接触子３０５内に挿入されるとともに、第１及び第２の電極４０２及び４０３がそれぞれ第１及び第２の接触子３０４及び３０５に接触させられて投入状態にされる。カットアウトヒューズ４を投入状態に確実に保持するため、カットアウトヒューズ４が投入状態にされたときに、カットアウトヒューズの後端部に設けられた把持部４０５が、ブッシング３の後端部３ｂの内側に固定された把持バネ３０７により把持されるようになっている。図１及び図２はこのようにしてカットアウトヒューズが投入された状態を示している。
【００４６】
ブッシング３のエンドキャップ３０６の端面には、投入状態にされたカットアウトヒューズ４のエンドブロック４０７の上面４０７ｂの一部及下面４０７ｃの一部にそれぞれ当接して、エンドブロック４０７を位置決めする上側位置決め部材３１１及び下側位置決め部材３１２がボルト３１３により取り付けられている。
【００４７】
下側の位置決め部材３１１の水平方向の両端の下端寄りの部分にそれぞれ前方に突出した張出部３１４、３１４が設けられ、これらの張出部にそれぞれ図示しないヒューズ着脱用工具を位置決めするための位置決め孔３１５，３１５が形成されている。
【００４８】
ヒューズ着脱用工具は、例えば、位置決め孔３１５，３１５にそれぞれ係入される位置決めピンを有して、該位置決めピンと位置決め孔３１５，３１５との係合によりエンドキャップに位置決め固定される固定側工具と、該固定側工具に対してスライド自在に支持されて手動操作される駆動機構によりカットアウトヒューズの軸線方向にスライドさせられる可動側工具と、エンドブロック４０７のロックピン挿入溝４１０を利用してエンドブロック４０７と可動工具とを連結する連結部材とにより構成される。
【００４９】
エンドキャップ３０６に取り付けられた下側位置決め部材３１２の下部にはまた、一方の（エンドブロックを正面から見て右側の）張出部３１４に隣接させた状態で、前方に突出した突出部３１６が設けられ、この突出部３１６を貫通させた状態で、ロックピン支持孔３１７が形成されている。ロックピン支持孔３１７は、投入状態にあるカットアウトヒューズ４のエンドブロック４０７に設けられたロックピン挿入溝４１０と軸線を共有するように設けられ、このロックピン支持孔３１７を貫通させた状態でロックピン７が回転自在かつスライド自在に支持されている。
【００５０】
図示のロックピン７は、ロックピン支持孔３１７の軸線方向の延びる棒状部７０１と、棒状部７０１の先端部からほぼ直角に折れ曲がった折り曲げ部７０２とを有するＬ字形の部材からなっていて、図７に示すように、折り曲げ部７０２をカットアウトヒューズのエンドブロック４０７のロックピン挿入溝４１０の開口方向に向けた状態で、ロックピン挿入溝４１０内に挿入される。
【００５１】
棒状部７０１の後端部外周に雄ネジ部が設けられ、この雄ネジ部に、ナット本体７０３ａとナット本体７０３ａに一体化されたリング状のつまみ７０３ｂとを有するアイナット７０３が螺合されている。
【００５２】
ロックピンの棒状部７０１の後端部のネジ部にはまたロックナット７０４が螺合され、アイナット７０３の螺合量を調整して、該アイナットの位置を調整した後、ロックナット７０４をアイナット側に締め付けることにより、アイナット７０３を任意の位置に固定することができるようになっている。
【００５３】
図示の例では、ロックピン７がロックピン挿入溝４１０内に挿入されて、その先端の折り曲げ部７０２が係止溝４１１に臨む位置（図８に示した位置）に達したときに、ロックナット７０４がエンドキャップ３０６の下側の位置決め部３１２に設けられた突出部３１６の下面に当接して、ロックピンの更なる変位が阻止されるように、アイナット７０３の位置が調整されている。
【００５４】
本実施形態では、ロックピン７がロックピン挿入溝４１０内に挿入されて、その先端の折り曲げ部７０２が係止溝４１１に臨む状態になったときのロックピン７の位置（図８に示した位置）を、該ロックピンのロック位置とし、ロックピン７がロックピン挿入溝４１０から離脱して、その先端の折り曲げ部７０２が突出部３１６の上面に当接した状態になるロックピンの位置（図７に示した位置）を、該ロックピンのロック解除位置としている。
【００５５】
そして、図８に示すように、ロックピン５をロック位置に位置させた状態で、ロックピン５の棒状部７０１を回転させて、折り曲げ部７０２を９０度旋回させることにより、図９に示すように、折り曲げ部７０２を係止溝４１１内に嵌合させて、折り曲げ部７０２を係止溝４１１内に係止することができるようになっている。
【００５６】
またこのように、折り曲げ部７０２を係止溝４１１内に係止した状態で、図１０に示すように折り曲げ部７０２を落し溝４１２内に落し込むことができるように、落し溝４１２が設けられており、折り曲げ部７０２を落し溝４１２内に落し込んだ状態にしたときに、折り曲げ部７０２の旋回が阻止されるようになっている。
【００５７】
上記の実施形態において、カットアウトヒューズ４を投入する際には、カットアウトヒューズ４の後端部を変圧器タンク１側に向けた状態で、該カットアウトヒューズをブッシング３のエンドキャップ３０６の開口部３０８を通してブッシング内に挿入する。そして、カットアウトヒューズ４をブッシング３内に押し込んで、カットアウトヒューズの後端部側に設けられた消弧棒４０４を第２の接触子３０５の内側に挿入するとともに、第１及び第２の電極３０４及び３０５をそれぞれブッシングの第１の接触子３０４及び第２の接触子３０５に接触させる。またカットアウトヒューズ４のエンドブロック４０７の長手方向を水平方向に向けて該エンドブロックをブッシングのエンドキャップに取り付けられた位置決め部材３１１及び３１２の間に挿入し、把持部４０５を把持バネ３０７に把持させる。これにより、カットアウトヒューズ４がブッシング３内に正しく投入された状態になる。
【００５８】
次いで、図５に示すように、絶縁棒８０１の先端にフック８０２を取り付けた操作工具８を用意して、この操作工具のフック８０２を、図７に示すようにロック解除位置にあるロックピン７の下端のアイボルトのつまみ７０３ｂ内に挿入し、ロックピン７の先端の折り曲げ部７０２をエンドブロック４０７のロックピン挿入溝４１０の開口方向に向けた状態で、操作工具８を押し上げることにより、図８に示すように、ロックピン７の折り曲げ部７０２及び棒状部７０１をロックピン挿入溝４１０内に挿入する。そして、ロックピンの先端の折り曲げ部７０２が係止溝４１１に臨む位置に達してロックナット７０４がロックピンを支持している突出部３１６の下面に当接した時に、操作工具８を回転させてロックピン７の棒状部７０１を９０°回転させることにより、その先端の折り曲げ部７０２を９０°旋回させて、図９に示すように、折り曲げ部７０２を係止溝４１１内に挿入する。次いで、操作工具８を僅かに下方に引いてロックピンの折り曲げ部７０２を落し溝４１２内に落とし込み、工具８のフック８０２をアイボルト７０３のつまみから外す。
【００５９】
このように、ブッシングのエンドキャップにロックピン７を支持して、該ロックピンをカットアウトヒューズ４のエンドブロックに設けたロックピン挿入溝内に挿入してロック位置に保持しておくと、交通事故などにより、変圧器を支持している電柱に大きな衝撃が加わったときにカットアウトヒューズがブッシング３から離脱するのを防ぐことができる。
【００６０】
また上記のように、ロックピン７の先端に折り曲げ部７０２を形成して、該折り曲げ部７０２をエンドブロックに設けた係止溝内に挿入しておくようにすると、ロックピンに、自重により常時ロックピン挿入溝４１０から離脱しようとする方向の力が働くように、ロックピン７を設ける場合に、該ロックピンを簡単な構造でロック位置に保持することができる。
【００６１】
更に、上記のように、ロック位置にあるロックピン７の先端の折り曲げ部７０２を落し溝４１２内に落とし込んでおくようにすると、振動などによりロックピンの折り曲げ部７０２が旋回して、係止溝４１１から外れるのを防いで、カットアウトヒューズのロックの信頼性を高めることができる。
【００６２】
また上記のように構成すると、ロック解除位置にあるロックピンがエンドキャップ３０６から離脱することがないため、ロックピンを紛失するおそれをなくすことができる。
【００６３】
上記の実施形態において、カットアウトヒューズ４をブッシング３から引き外す際には、先ず操作工具によりロックピン７を押し上げて、ロックピンの先端の折り曲げ部７０２を落し溝４１２から外し、その状態でロックピンの棒状部を９０°回転させて、折り曲げ部７０２を係止溝４１２から外す。その後、ロックピン７を下方に変位させてロックピン挿入溝４１０から離脱させ、図７に示すロック解除位置に位置させる。これにより、カットアウトヒューズ４のロックが解除され、該ヒューズの引き外しが許容された状態になる。
【００６４】
このようにしてカットアウトヒューズのロックを解除した後、カットアウトヒューズのエンドブロックに着脱工具を取り付けて、カットアウトヒューズをブッシングから引き出す。
【００６５】
溶断されていない状態にあるカットアウトヒューズ４をブッシング３から引き外す際には、カットアウトヒューズ４の第２の電極４０３がブッシングの第２の接触子３０５から離れた瞬間に、電極４０３と接触子３０５との間にアークが発生するが、本実施形態の変圧器では、このアークの熱により消弧棒４０４を加熱することにより、該消弧棒から消弧性のガスが発生させて、このガスによりアークを冷却して消弧を図るようにしている。
【００６６】
上記の例では、ロックピン挿入溝をカットアウトヒューズ４の軸線に対して直角な方向に延びるように設けたが、ロックピン挿入溝は、必ずしもカットアウトヒューズ４の軸線に対して直角な方向に延びるように設ける必要はなく、カットアウトヒューズ４の軸線に対して角度をなす方向に延びるように設ければよい。
【００６７】
また上記の例では、係止溝４１１をロックピン挿入溝４１０の中間部に接続されるように設けたが、係止溝４１１は、ロックピン挿入溝４１０の一端から離れた位置でロックピン挿入溝４１０に接続されるように設ければよい。
【００６８】
例えば、図１１（Ａ）ないし（Ｃ）に示したように、カットアウトヒューズの軸線方向に対して角度（図示の例では９０°）をなす方向に沿って下方から上方に直線的に延びるロックピン挿入溝４１０を、エンドブロックを貫通した状態で設けるとともに、エンドブロック４０７の上面４０７ｂにロックピン挿入溝４１０の長手方向に対して直角な方向に延びる係止溝４１１を設けるようにしてもよい。このように構成すると、係止溝４１１を落し溝としても用いることができ、ロックピン挿入溝４１０内に挿入したロックピンの先端の折り曲げ部７０２をエンドブロック４０７の上面４０７ｂの係止溝４１１内に落とし込むことにより、ロックピンをロック位置に保持することができる。またこのように、係止溝をエンドブロックの上面に形成するようにすると、該係止溝をエンドブロックの内部に設ける場合に比べてエンドブロックの加工を容易にすることができる。
【００６９】
図１１に示した例では、エンドブロック４０７の左右側面４０７ａ，４０７ａを入れ替えてもロックピン挿入溝４１０の上端側に必ず係止溝４１１が存在しているようにするために、エンドブロックの長手方向の一端側の上面及び長手方向の他端側の下面にそれぞれ係止溝４１１が形成されている。
【００７０】
上記の例では、ブッシングのエンドキャップ３０６の下端側にロックピン７を支持して、該ロックピンをエンドブロックに設けたロックピン挿入溝４１０内に下方から挿入するようにしているが、ブッシング３のエンドキャップ３０６の上端側（上記の例では、上部位置決め部材３１１側）にロックピンを支持して、該ロックピンをエンドブロック４０７に設けたロックピン挿入溝内に上方から挿入してカットアウトヒューズを投入位置にロックする構造をとることもできる。この場合には、ロックピンが自重によりロック位置に保持されるため、ロックピンは単に棒状に形成しておけばよく、該ロックピンを係止するための手段（折り曲げ部や係止溝）は特に設けなくてもよい。
【００７１】
上記の例では、ロックピンを操作するために、その端部にアイナットを取り付けているが、ロックピンを操作するためにその端部に取り付ける部材は必ずしもアイナットでなくてもよい。
【００７２】
なおアイナットのつまみはリング状でなくてもよく、Ｕ字形や、Ｖ字形でもよい。
【００７３】
上記の実施形態のように、ロックピン挿入溝の一端及び他端をそれぞれエンドブロック４０７の上面及び下面に開口させた状態で設けて、ロックピン挿入溝４１０の下端側からロックピン７を挿入するようにすると、カットアウトヒューズの着脱工具をエンドブロックに結合するためのピンなどをロックピン挿入溝４１０の上端側から該溝内に挿入して、着脱工具とエンドブロックとを結合することができる。
【００７４】
しかしながら、本発明は、必ずしもこのようにロックピン挿入溝の長手方向の両端を開口させる場合に限定されるものではなく、ロックピン挿入溝をエンドブロック４０７の上面４０７ｂと下面４０７ｃとの間の適当な位置（例えば中間位置）で終端させるようにしてもよい。
【００７５】
上記の実施形態では、ロックピンの先端をほぼ直角に折り曲げて、ロックピンが全体としてＬ字形を呈するように形成しているが、ロックピンの先端に形成する折り曲げ部は、該ロックピンの棒状部に対して角度をなすように折れ曲がっていればよく、必ずしもロックピン全体がＬ字形を呈している必要はない。例えばロックピンの先端付近がくの字形を呈するように折り曲げ部を形成してもよく、ロックピンの先端付近がレの字形やＵ字形を呈するように折り曲げ部を形成してもよい。カットアウトヒューズのエンドブロックに設ける係止溝は、ロックピン挿入溝内に挿入されたロックピンの先端の折り曲げ部を受け入れることができるように、ロックピンの折り曲げ部の形状に応じて適宜に形成する。
【００７６】
【発明の効果】
以上のように、本発明によれば、カットアウトヒューズの後端側にブッシングの軸線に対して角度をなす方向に延びるロックピン挿入溝を設けるとともに、ブッシングの先端側に、該ロックピン挿入溝内に挿入されるロックピンを取り付けたので、ロックピンをロックピン挿入溝内に挿入することにより、カットアウトヒューズをブッシング内に保持された状態にロックすることができる。従って、変圧器タンクに大きな衝撃が加わった際にカットアウトヒューズがブッシングから抜け出るのを防ぐことができ、無用な停電が生じるのを防ぐことができる。
【００７７】
また、本発明によれば、カットアウトヒューズが正しく投入されている場合にのみロックピンをロックピン挿入溝内に挿入することができるため、ロックピンをロックピン挿入溝内に挿入する際に、カットアウトヒューズが正しく投入されているかどうかを確認することができ、カットアウトヒューズの端子とブッシング側の接触子との接触が不完全な状態で通電が行われるのを防ぐことができる。
【図面の簡単な説明】
【図１】本発明の実施形態で用いるブッシングの全体を断面してその内部の構造を示した断面図である。
【図２】本発明の実施形態で用いるブッシングの半部を断面してその外観と内部構造とを示した断面図である。
【図３】本発明の実施形態で用いるカットアウトヒューズの一例を示す側面図である。
【図４】（Ａ）及び（Ｂ）はそれぞれ、本発明の実施形態においてブッシングの先端に取り付けられるエンドキャップの上面及び正面図である。
【図５】本発明に係わる変圧器において、ロックピンの棒状部をカットアウトヒューズのエンドブロックのロックピン挿入溝内に挿入した状態を示した断面図である。
【図６】（Ａ）ないし（Ｃ）はそれぞれ本実施形態においてカットアウトヒューズの先端に取り付けるエンドブロックの上面図、正面図及びＡ−Ａ線断面図である。
【図７】本実施形態において、ロックピンがロック解除位置にあるときのブッシングの先端側の状態を示す正面図である。
【図８】本実施形態において、ロックピンがロック位置まで変位させられたときのブッシングの先端側の状態を示す正面図である。
【図９】本実施形態において、ロックピンがロック解除位置で９０°回転させられたときのブッシングの先端側の状態を示す正面図である。
【図１０】本実施形態において、ロックピンがロック解除位置で９０°回転させられた後ロックピンの先端の折り曲げ部を落し溝内に落とし込んだときのブッシングの先端側の状態を示す正面図である。
【図１１】（Ａ）ないし（Ｃ）はそれぞれカットアウトヒューズの先端に設けるエンドブロックの変形例を示した上面図、正面図及び要部の断面図である。
【符号の説明】
１…変圧器タンク、３…ブッシング、３０２…套管、３０４…第１の接触子、３０５…第２の接触子、３０６…エンドキャップ、３１１…上側位置決め部材、３１２…下側位置決め部材、３１６…ロックピン支持部、４…カットアウトヒューズ、４０１…ヒューズ容器、４０２…第１の電極、４０３…第２の電極、４０７…エンドブロック、４１０…ロックピン挿入溝、４１１…係止溝、４１２…落し溝、７…ロックピン、７０１…棒状部、７０２…折り曲げ部。
【図１】
2004192998.tif 000003
【図２】
2004192998.tif 000004
【図３】
2004192998.tif 000005
【図４】
2004192998.tif 000006
【図５】
2004192998.tif 000007
【図６】
2004192998.tif 000008
【図７】
2004192998.tif 000009
【図８】
2004192998.tif 000010
【図９】
2004192998.tif 000011
【図１０】
2004192998.tif 000012
【図１１】
2004192998.tif 000013